(57)【要約】【課題】  降雪地における建造物外部鋼製階段のステップに降着した氷雪等は、スリプや転倒等、人身事故の原因となっている。【解決手段】  本発明は、これを防ぐ為にステップ裏面に階段融雪用発熱体を設置するものである。裏面に設置することから、直接踏まれることがなく、構造が簡易であることから、従来の製品と比較し安価かつ長寿命を特長とするものである。【選択図】図３
2009250016.tif 000002
【特許請求の範囲】
【請求項１】
建造物外部鋼製階段に用いられる融雪装置であって、前記階段のステップの裏側に螺子により取り付けられてなる保護板と、前期ステップとの間に狭着され、絶縁被膜が施されてなる発熱素子を有することを特徴とする融雪装置。
【請求項２】
建造物外部鋼製階段のステップの裏側に、絶縁皮膜が施されてなる発熱素子を配置し、前記発熱素子を覆う状態で、保護板を配置し、前期保護板を前記ステップの裏側に螺子を用いて固定することを特徴とする、請求項１に記載の融雪装置の取り付け方法。
【発明の詳細な説明】
【技術分野】
【０００１】  本発明は、降雪地における建造物の外部に設けられた、鋼製階段に用いられる融雪装置に関するものである。
【背景技術】
【０００２】  降雪地に建設された建物の外部に設けられた鋼製階段のステップ部は、降雪時、あるいは結氷時に滑りやすくなり、踏み外しや転倒事故は後を断たない状況にある。【０００３】  この問題を解決する方法として、特許文献１には、まずステップ上に、融雪効果を高める目的で断熱材を置き、その上に発熱素子の表裏前面を電気絶縁防水シートで覆った発熱体を重ねて置く構造で、融雪シートを階段に取り付けることが提案されている。【０００４】  また特許文献２においては、発熱素子をゴム弾性体により被覆し、シート状に一体的に成形して階段融雪マットを作製し、これを階段の昇降方向に向けて設置するに際し、階段のステップ部に発熱素子を位置させ、階段の立ち上がり部には発熱素子を欠如させた形状になるよう、あらかじめ切り欠き部を設けたものとする考案が提案されている。【０００５】  上記のこれら２考案にあっては、階段ステップ部の踏面部は、長期の歩行使用により磨耗した場合や亀裂その他の損傷を生じた場合の対応方法は何ら考慮されておらず、その様な時には発熱素子共に全交換するしかないことになる。【０００６】  また特許文献３にあっては、発熱素子をＬ字形にし、その外側を保護層としてＬ字形に成形した硝子繊維で強化された熱硬化性樹脂で覆い、一体化する形状を提案している。この場合ステップ部の踏面に相当する該硝子繊維強化熱硬化性樹脂は、耐摩耗性に優れる故歩行による磨耗は一般的には少ないが、長期間の使用特には、やはり磨耗が生じ、その際には、やはり発熱素子と共に全交換する必要がある。また、表面硬度の高い材料は、一般的には滑りやすい欠点も合わせ有しているので使用し難い。【０００７】
【特許文献１】  実開平０１−０６０３８８号公報
【特許文献２】  実開平０４−０１２１８１号公報
【特許文献３】  実開昭５８−０９４７０４号公報
【発明の開示】
【発明が解決しようとする課題】
【０００８】  前記の如く、従来の階段ステップ部に設置する融雪用発熱体においては、その踏面の保護層は歩行により磨耗又は亀裂を生じ、発熱体として使用に耐えなくなった場合、発熱素子を含め、全体を交換せねばならない欠点を有している。従って本発明の課題は、使用による踏面の損傷が少なく、損傷による交換する場合、全体を交換しなくともよい構造を有する、建造物外部鋼製階段に用いられる融雪装置を提供することにある。
【課題を解決するための手段】
【０００９】  本発明は、前記欠点を一掃すべく検討された、建造物外部鋼製階段に用いられる融雪装置であって、前記階段のステップの裏側に螺子により取り付けられ、前記ステップより小さめに形成されてなる保護板と、前記ステップと前記被覆板との間に狭着され、絶縁被膜が施されてなる発熱素子を有することを特徴とする。【００１０】  また、本発明の融雪装置の取り付け方法は、建造物外部鋼製階段のステップ裏側に、絶縁被膜が施されてなる発熱素子を配置し、前記発熱素子を覆う状態で、保護板を配置し、前記保護板を前記ステップの裏側に螺子を用いて固定することを特徴とするものである。
【発明の効果】
【００１１】  本発明の融雪装置は、熱源となる発熱体が階段のステップの裏側に取り付けられているので、使用による損傷が極めて少なく、交換が必要な場合においても、その構造的な特徴から、必ずしも全部品を交換する必要がなく、ランニングコストを低く抑えることができる。
【発明を実施するための最良の形態】
【００１２】  次に図面を参照して、本発明の好ましい実施の形態に関わる鋼製階段用融雪装置について詳細に説明する。【００１３】  本融雪装置の発熱部を図１に示す、電気絶縁被膜を施した発熱素子１とその下面を被覆する保護板２からなり、螺子穴３により螺着するものである。【００１４】  図２は、鋼製階段のステップに、螺子穴３に合致するよう開孔加工し、平
丸ボルト５とナット６により固着する。【００１５】  図３は、本発熱体を鋼製階段に装着した斜視図である。【００１６】  図４は、本発熱体に関わるコントローラー、温度センサー、過昇防止センサーの結線図である。
【符号の説明】
【００１７】  １  発熱素子
２  保護板
３  螺子穴
４  リード線
５  平丸ボルト
６  ナット
７  鋼製階段
８  コントローラー
９  温度センサー
１０  過昇防止センサー
【図１】
2009250016.tif 000003
【図２】
2009250016.tif 000004
【図３】
2009250016.tif 000005
【図４】
2009250016.tif 000006
【手続補正書】
【提出日】平成20年6月2日(2008.6.2)
【手続補正１】
【補正対象書類名】明細書
【補正対象項目名】全文
【補正方法】変更
【補正の内容】
【発明の詳細な説明】
【技術分野】
【０００１】  本発明は、降雪地における建造物の外部に設けられた、鋼製階段に用いられる融雪装置に関するものである。
【背景技術】
【０００２】  降雪地に建設された建物の外部に設けられた鋼製階段のステップ部は、降雪時、あるいは結氷時に滑りやすくなり、踏み外しや転倒事故は後を断たない状況にある。【０００３】  この問題を解決する方法として、特許文献１には、まずステップ上に、融雪効果を高める目的で断熱材を置き、その上に発熱素子の表裏前面を電気絶縁防水シートで覆った発熱体を重ねて置く構造で、融雪シートを階段に取り付けることが提案されている。【０００４】  また特許文献２においては、発熱素子をゴム弾性体により被覆し、シート状に一体的に成形して階段融雪マットを作製し、これを階段の昇降方向に向けて設置するに際し、階段のステップ部に発熱素子を位置させ、階段の立ち上がり部には発熱素子を欠如させた形状になるよう、あらかじめ切り欠き部を設けたものとする考案が提案されている。【０００５】  上記のこれら２考案にあっては、階段ステップ部の踏面部は、長期の歩行使用により磨耗した場合や亀裂その他の損傷を生じた場合の対応方法は何ら考慮されておらず、その様な時には発熱素子共に全交換するしかないことになる。【０００６】  また特許文献３にあっては、発熱素子をＬ字形にし、その外側を保護層としてＬ字形に成形した硝子繊維で強化された熱硬化性樹脂で覆い、一体化する形状を提案している。この場合ステップ部の踏面に相当する該硝子繊維強化熱硬化性樹脂は、耐摩耗性に優れる故歩行による磨耗は一般的には少ないが、長期間の使用特には、やはり磨耗が生じ、その際には、やはり発熱素子と共に全交換する必要がある。また、表面硬度の高い材料は、一般的には滑りやすい欠点も合わせ有しているので使用し難い。【０００７】
【特許文献１】  実開平０１−０６０３８８号公報
【特許文献２】  実開平０４−０１２１８１号公報
【特許文献３】  実開昭５８−０９４７０４号公報
【発明の開示】
【発明が解決しようとする課題】
【０００８】  前記の如く、従来の階段ステップ部に設置する融雪用発熱体においては、その踏面の保護層は歩行により磨耗又は亀裂を生じ、発熱体として使用に耐えなくなった場合、発熱素子を含め、全体を交換せねばならない欠点を有している。従って本発明の課題は、使用による踏面の損傷が少なく、損傷による交換する場合、全体を交換しなくともよい構造を有する、建造物外部鋼製階段に用いられる融雪装置を提供することにある。
【課題を解決するための手段】
【０００９】  本発明は、前記欠点を一掃すべく検討された、建造物外部鋼製階段に用いられる融雪装置であって、前記階段のステップの裏側に螺子により取り付けられ、前記ステップより小さめに形成されてなる保護板と、前記ステップと前記被覆板との間に狭着され、絶縁被膜が施されてなる発熱素子を有することを特徴とする。【００１０】  また、本発明の融雪装置の取り付け方法は、建造物外部鋼製階段のステップ裏側に、絶縁被膜が施されてなる発熱素子を配置し、前記発熱素子を覆う状態で、保護板を配置し、前記保護板を前記ステップの裏側に螺子を用いて固定することを特徴とするものである。
【発明の効果】
【００１１】  本発明の融雪装置は、熱源となる発熱体が階段のステップの裏側に取り付けられているので、使用による損傷が極めて少なく、交換が必要な場合においても、その構造的な特徴から、必ずしも全部品を交換する必要がなく、ランニングコストを低く抑えることができる。
【発明を実施するための最良の形態】
【００１２】  次に図面を参照して、本発明の好ましい実施の形態に関わる鋼製階段用融雪装置について詳細に説明する。【００１３】  本融雪装置の発熱部を図１に示す、電気絶縁被膜を施した発熱素子１とその下面を被覆する保護板２からなり、螺子穴３により螺着するものである。【００１４】  図２は、鋼製階段のステップに、螺子穴３に合致するよう開孔加工し、平
丸ボルト５とナット６により固着する。【００１５】  図３は、本発熱体を鋼製階段に装着した斜視図である。【００１６】  図４は、本発熱体に関わるコントローラー、温度センサー、過昇防止センサーの結線図である。
【図面の簡単な説明】
【００１７】
【図１】本発明の発熱体と保護板である。
【図２】本発明の発熱部を鋼製階段に螺着した断面図である。
【図３】本発明の発熱部を鋼製階段に螺着した斜視図である。
【図４】本発熱体に関わるコントローラー、温度センサー、過昇防止センサーの結線図である。
【符号の説明】
【００１８】１  発熱素子
２  保護板
３  螺子穴
４  リード線
５  平丸ボルト
６  ナット
７  鋼製階段
８  コントローラー
９  温度センサー
１０  過昇防止センサー